(57)【要約】 【課題】  外部環境を良好に再現する環境調整システムを提供する。【解決手段】  外部環境認識手段３００で車両周囲の環境音、撮像データおよび気象状態を取得し、制御装置本体５００の環境情報取得手段５５１で取得する。変更手段５１０の切替操作により窓を開閉する操作手段２２０から出力する操作信号や入力手段５２０から出力する操作信号を取得し、仮想窓を開閉する入力操作状況を認識する。入力操作状況に対応してモニタ５３０で表示する仮想窓の開口状態を変更する。実際の窓の開口量が増減する状態となるように、入力操作状況に対応して発音手段４１０から環境音を再生させ、表示装置で映像データを再生させ、気象状態に応じて設定した空調処理条件で空調手段４３０を動作制御する。窓が開けられない状態でも仮想窓５３１Ａの開閉により容易に外部状況を認識できる。【選択図】 図１
2005319837.tif 000002
【特許請求の範囲】
【請求項１】
外部環境に関する環境情報を取得する環境情報取得手段と、
前記環境情報を出力する出力手段と、
入力操作に対応した操作信号を出力する操作手段と、
この操作手段から出力される操作信号に基づいて前記外部環境と連通させる窓の開口量が増減する状態に対応して、前記出力手段からの前記環境情報の出力状態を制御する出力制御手段と、
を具備したことを特徴とした環境調整装置。
【請求項２】
請求項１に記載の環境調整装置であって、
前記操作手段から出力される前記操作信号における入力操作状況に応じて前記窓の開口量を調整可能に前記窓を開閉させる駆動手段の駆動状態を制御する駆動制御手段へ前記操作信号を出力する状態に、入力操作に応じて前記操作信号の出力状態を変更する変更手段を備えた
ことを特徴とした環境調整装置。
【請求項３】
外部環境と連通させる窓を開閉させる駆動手段の駆動状態を制御する駆動制御手段へ入力操作に対応して操作信号を出力して前記入力操作状況に応じて前記窓の開口量を設定する操作手段の前記操作信号の出力状態を、入力操作に応じて変更する変更手段と、
前記外部環境に関する環境情報を取得する環境情報取得手段と、
前記環境情報を出力する出力手段と、
前記変更手段における入力操作により変更されて出力される前記操作信号における入力操作状況に応じて、前記窓の開口量が増減する状態に対応して前記出力手段からの前記環境情報の出力状態を制御する出力制御手段と、
を具備したことを特徴とした環境調整装置。
【請求項４】
請求項１ないし請求項３に記載の環境調整装置であって、
前記出力制御手段は、前記操作信号の入力操作状況に対応するレベル値の増大に従って前記環境情報の出力状態を増大させる割合を小さくする状態に制御する
ことを特徴とした環境調整装置。
【請求項５】
請求項１ないし請求項４のいずれかに記載の環境調整装置であって、
前記外部環境に対応する環境情報を記憶する記憶手段を具備し、
前記出力制御手段は、前記環境情報取得手段で取得した環境情報に基づき、前記操作信号の入力操作状況に応じて前記出力手段から前記記憶手段に記憶された前記環境情報を出力させる出力状態を制御する
ことを特徴とした環境調整装置。
【請求項６】
請求項１ないし請求項５のいずれかに記載の環境調整装置であって、
前記出力制御手段は、前記操作信号の入力操作状況に対応するレベル値の最大で前記出力手段から出力する前記環境情報の出力状態が前記外部環境と略同等となる状態に前記環境情報の出力状態を制御する
ことを特徴とした環境調整装置。
【請求項７】
請求項１ないし請求項６のいずれかに記載の環境調整装置であって、
前記外部環境は、外部の音、光および気象状態のうちの少なくともいずれか１つである
ことを特徴とした環境調整装置。
【請求項８】
請求項１ないし請求項６のいずれかに記載の環境調整装置であって、
前記環境情報取得手段は、外部環境として外部の環境音を取得し、
前記出力手段は、スピーカを備え、
前記出力制御手段は、前記操作信号の入力操作状況に対応して前記スピーカから前記環境音を再生させる
ことを特徴とした環境調整装置。
【請求項９】
請求項８に記載の環境調整装置であって、
前記環境情報取得手段は、前記環境音を集音する集音手段を備え、
前記出力制御手段は、前記操作信号の入力操作状況に対応して前記スピーカから前記マイクロフォンで集音した前記環境音を再生させる
ことを特徴とした環境調整装置。
【請求項１０】
請求項１ないし請求項６のいずれかに記載の環境調整装置であって、
前記外部環境に対応する環境音データを記憶する環境音データ記憶手段を具備し、
前記環境情報取得手段は、外部環境として外部の環境音を取得し、
前記出力手段は、スピーカを備え、
前記出力制御手段は、前記環境情報取得手段で取得した環境音に基づき、前記操作信号の入力操作状況に応じて前記スピーカから前記環境音データ記憶手段に記憶された前記環境音データを前記環境情報として再生させる
ことを特徴とした環境調整装置。
【請求項１１】
請求項１ないし請求項６のいずれかに記載の環境調整装置であって、
前記環境情報取得手段は、移動体の移動状況を外部環境として認識しこの認識した移動状況に関する環境情報を取得し、
前記出力手段は、スピーカを備え、
前記出力制御手段は、前記環境状態取得手段で取得した環境情報における移動状況に対応し前記移動体の移動により生じる風切り音様の音情報を生成し、前記操作信号の入力操作状況に応じて前記生成した音情報を前記環境情報として前記スピーカから再生させる
ことを特徴とした環境調整装置。
【請求項１２】
請求項８ないし請求項１１のいずれかに記載の環境調整装置であって、
前記出力制御手段は、前記操作信号の入力操作状況に対応するレベル値が増大するに従って前記スピーカから再生させる前記環境音における除去する周波数帯の帯域を小さくする割合を大きくする
ことを特徴とした環境調整装置。
【請求項１３】
請求項８ないし請求項１２のいずれかに記載の環境調整装置であって、
前記出力制御手段は、前記操作信号の入力操作状況に対応するレベル値が増大するに従って前記スピーカから再生させる前記環境音における除去する高音域の周波数を高くする
ことを特徴とした環境調整装置。
【請求項１４】
請求項１ないし請求項６のいずれかに記載の環境調整装置であって、
前記環境情報取得手段は、外部環境として外部の環境光を取得し、
前記出力手段は、前記環境光に対応した光の特性で点灯可能な光源を備え、
前記出力制御手段は、前記操作信号の入力操作状況に対応して、前記光源における前記環境光に対応した光の特性での点灯状態を大小させる
ことを特徴とした環境調整装置。
【請求項１５】
請求項１４に記載環境調整装置であって、
前記環境情報取得手段は、前記外部環境を撮像して前記環境光を取得する撮像手段を備え、
前記光源は、表示装置であって、
前記出力制御手段は、前記操作信号の入力操作状況に応じて、前記撮像手段で撮像した前記外部環境の環境光を前記表示装置で表示させる領域を増減させる
ことを特徴とした環境調整装置。
【請求項１６】
請求項１４に記載の環境調整装置であって、
外部環境に対応する環境映像データを記憶する映像データ記憶手段を具備し、
前記光源は、表示装置であって、
前記出力制御手段は、前記操作信号の入力操作状況に応じて、前記表示装置で前記映像データ記憶手段に記憶された前記環境映像データを表示させる領域を増減させる
ことを特徴とした環境調整装置。
【請求項１７】
請求項１ないし請求項６のいずれかに記載の環境調整装置であって、
前記環境情報取得手段は、外部環境として外部の気象状態を取得し、
前記出力手段は、周辺空気の性状を調整可能な空調手段を備え、
前記出力制御手段は、前記操作信号の入力操作状況に応じて、前記空調手段における前記気象状態に対応して前記空調手段で性状を調整する周辺空気の処理風量を増減させる
ことを特徴とした環境調整装置。
【請求項１８】
請求項１ないし請求項１７のいずれかに記載の環境調整装置であって、
前記環境情報取得手段は、移動体の外部環境を認識しこの認識した外部環境に関する環境情報を取得する
ことを特徴とした環境調整装置。
【請求項１９】
外部環境に関する環境情報を出力手段から出力させる出力状態を制御する環境調整方法であって、
前記外部環境を認識し、
この認識した外部環境に関する環境情報を取得し、
入力操作に対応して操作手段から出力される操作信号を認識し、
この認識した操作信号の入力操作状況に応じて前記外部環境と連通させる窓の開口量が増減する状態に対応して、前記出力手段からの前記環境情報の出力状態を制御する
ことを特徴とする環境調整方法。
【請求項２０】
外部環境に関する環境情報を出力手段から出力させる出力状態を制御する環境調整方法であって、
前記外部環境を認識し、
この認識した外部環境に関する環境情報を取得し、
外部環境と連通させる窓を開閉させる駆動手段の駆動状態を制御する駆動制御手段へ入力操作に対応した操作信号を出力して前記窓の開口量を設定する操作手段から、入力操作に応じて変更されて出力される前記操作信号を認識し、
この認識した操作信号の前記入力操作状況に応じて前記外部環境と連通させる窓の開口量が増減する状態に対応して、前記出力手段からの前記環境情報の出力状態を制御する
ことを特徴とする環境調整方法。
【請求項２１】
演算手段を、請求項１ないし請求項１８に記載の環境調整装置として機能させる
ことを特徴とした環境調整プログラム。
【請求項２２】
請求項１９または請求項２０に記載の環境調整方法を演算手段に実行させる
ことを特徴とした環境調整プログラム。
【請求項２３】
請求項２１または請求項２２に記載の環境調整プログラムが演算手段に読取可能に記録された
ことを特徴とした環境調整プログラムを記録した記録媒体。
【発明の詳細な説明】
【技術分野】
【０００１】
本発明は、外部環境に関する環境情報を出力手段から出力させる環境調整装置、その方法、そのプログラム、および、そのプログラムを記録した記録媒体に関する。
【背景技術】
【０００２】
従来、例えば音響装置や照明装置、空調装置などの電気機器において、その動作状態を調整する構成として、利用者が操作つまみを操作することにより所望の動作状態に設定する構成が一般的に採られている。具体的には、音響装置においてはボリュームつまみを操作することにより音量を増減したり、照明装置においてはスライドスイッチを操作することにより照度を増減したり、空調装置においては操作つまみを操作することにより送風量や空調温度を増減するなどしている。
【０００３】
ところで、建造物の室内や車両において、外部環境として雨天などの気象状態や排気ガスなどの大気状態などにより窓を開けたくない場合が多々ある。しかしながら、窓を閉めることにより外部の音や光なども遮断され、室内や車内の環境が低下、例えば空気の淀みや照度の低下などの不都合が生じる。そこで、音響装置や照明装置、空調装置などの各種電気機器の動作状態を適宜調整し、室内や車内の良好な活動空間の環境を調整している。
【発明の開示】
【発明が解決しようとする課題】
【０００４】
しかしながら、窓を閉めた状態で各種電気機器の動作状態を調整して活動空間の環境を調整しても、外部環境の状況認識が困難となり、適切な対応が困難、例えば車両の後進の際に誘導者の声が聴き取れなくなるなどの不都合が生じるおそれがある問題が一例として挙げられる。
【０００５】
本発明の目的は、このような点に鑑みて、外部環境を良好に再現する環境調整装置およびその方法を提供することである。
【課題を解決するための手段】
【０００６】
請求項１に記載の発明は、外部環境に関する環境情報を取得する環境情報取得手段と、前記環境情報を出力する出力手段と、入力操作に対応した操作信号を出力する操作手段と、この操作手段から出力される操作信号に基づいて前記外部環境と連通させる窓の開口量が増減する状態に対応して、前記出力手段からの前記環境情報の出力状態を制御する出力制御手段と、を具備したことを特徴とした環境調整装置である。
【０００７】
請求項３に記載の発明は、外部環境と連通させる窓を開閉させる駆動手段の駆動状態を制御する駆動制御手段へ入力操作に対応して操作信号を出力して前記入力操作状況に応じて前記窓の開口量を設定する操作手段の前記操作信号の出力状態を、入力操作に応じて変更する変更手段と、前記外部環境に関する環境情報を取得する環境情報取得手段と、前記環境情報を出力する出力手段と、前記変更手段における入力操作により変更されて出力される前記操作信号における入力操作状況に応じて、前記窓の開口量が増減する状態に対応して前記出力手段からの前記環境情報の出力状態を制御する出力制御手段と、を具備したことを特徴とした環境調整装置である。
【０００８】
請求項１９に記載の発明は、外部環境に関する環境情報を出力手段から出力させる出力状態を制御する環境調整方法であって、前記外部環境を認識し、この認識した外部環境に関する環境情報を取得し、入力操作に対応して操作手段から出力される操作信号を認識し、この認識した操作信号の入力操作状況に応じて前記外部環境と連通させる窓の開口量が増減する状態に対応して、前記出力手段からの前記環境情報の出力状態を制御することを特徴とする環境調整方法である。
【０００９】
請求項２０に記載の発明は、外部環境に関する環境情報を出力手段から出力させる出力状態を制御する環境調整方法であって、前記外部環境を認識し、この認識した外部環境に関する環境情報を取得し、外部環境と連通させる窓を開閉させる駆動手段の駆動状態を制御する駆動制御手段へ入力操作に対応した操作信号を出力して前記窓の開口量を設定する操作手段から、入力操作に応じて変更されて出力される前記操作信号を認識し、この認識した操作信号の前記入力操作状況に応じて前記外部環境と連通させる窓の開口量が増減する状態に対応して、前記出力手段からの前記環境情報の出力状態を制御することを特徴とする環境調整方法である。
【００１０】
請求項２１に記載の発明は、演算手段を、請求項１ないし請求項１８に記載の環境調整装置として機能させることを特徴とした環境調整プログラムである。
【００１１】
請求項２２に記載の発明は、請求項１９または請求項２０に記載の環境調整方法を演算手段に実行させることを特徴とした環境調整プログラムである。
【００１２】
請求項２３に記載の発明は、請求項２１または請求項２２に記載の環境調整プログラムが演算手段に読取可能に記録されたことを特徴とした環境調整プログラムを記録した記録媒体である。
【発明を実施するための最良の形態】
【００１３】
以下、本発明に係る一実施の形態を図面に基づいて説明する。本実施の形態では、本発明の環境調整装置として移動体である例えば車両に搭載される環境調整システムについて例示して説明する。なお、本発明における環境調整装置としては、移動体に搭載される構成の他、例えば家屋などの建造物に設置される構成など、利用者が活動する活動空間の環境を調整するいずれの構成が適用できる。また、本実施の形態では、外部の音、光および気象状態にそれぞれ対応して車内の活動空間の環境を調整するシステム構成について例示するが、音、光および気象状態のうちのいずれか１つのみに対応して環境を調整する装置構成、さらには他のいずれかとの組み合わせに対応して環境を調整するシステム構成などとしてもよい。
【００１４】
〔環境調整システムの構成〕
図１は、本発明に係る一実施の形態における環境調整システムの概略構成を示すブロック図である。図２は、環境調整システムの車両配設状況を車両の平面視で示す概念図である。図３は、環境調整システムの車両配設状況を車両の側面視で示す概念図である。図４は、モニタで画面表示される表示画面を示す概念図である。図５は、表示パネルにおける他の表示形態を示す概念図である。
【００１５】
図１ないし図３において、１００は環境調整装置としての環境調整システムで、この環境調整システム１００は、移動体としての例えば車両１０の外部環境を車内に再現させるシステムである。ここで、移動体としては、車両１０に限らず、例えば飛行機や船舶など移動するいずれの移動体にも適用できる。この環境調整システム１００は、例えば車両１０に搭載された図示しないバッテリから供給される電力により動作する。そして、この環境調整システム１００は、窓開閉機構部２００と、外部環境認識手段３００と、出力手段４００と、環境調整装置としても機能し得る演算手段としての制御装置本体５００と、を備えている。また、外部環境認識手段３００は、集音手段３１０と、撮像手段３２０と、気象状態検知手段３３０と、走行状態検出手段３４０と、を備えている。さらに、出力手段４００は、出力手段としての発音手段４１０と、出力手段としての表示装置４２０と、出力手段としての空調手段４３０と、を備えている。
【００１６】
窓開閉機構部２００は、車両１０の窓を開閉する。この窓開閉機構部２００は、駆動手段２１０と、操作手段２２０と、駆動制御手段２３０と、を備えている。駆動手段２１０は、例えば図３に示すように、車両１０のドア１１にそれぞれ配設され、駆動により車両１０のドア１１に配設された各窓ガラス１２をそれぞれ移動してドア１１に開口形成され車両１０の室内空間を外部環境と連通させる窓開口部１３を開閉させる。操作手段２２０は、利用者が入力操作可能に車両１０のドア１１にそれぞれ配設された図示しない操作スイッチを有し、これら操作スイッチの入力操作により所定の操作信号を駆動制御手段２３０へ出力する。この操作手段２２０は、入力操作に対応した操作信号を出力、例えば入力操作されている時間長で所定の電流値の電気信号を出力する。駆動制御手段２３０は、各操作手段２２０から出力される操作信号を認識し、各操作信号における入力操作された入力操作状況に対応して対応する各駆動手段２１０の駆動を制御する。すなわち、操作手段２２０から所定の電流値の電気信号が出力されている時間長で駆動手段２１０を駆動させる制御をする。なお、駆動制御手段２３０は、駆動手段２１０毎にそれぞれ対応して設けた構成、あるいは１つ集約された構成など、いずれの形態とすることができる。また、操作手段２２０は、操作スイッチとしてスライドスイッチやつまみなどを利用してスライドあるいは回転状態に基づいて所定の電流値を出力し、電流値の大きさに基づいて駆動制御手段２３０が駆動手段２１０の駆動を制御するなど、操作手段２２０の入力操作に対応して窓の開口状態を制御するいずれの構成が利用できる。
【００１７】
また、窓開閉機構部２００は、制御装置本体５００に接続されている。そして、窓開閉機構部２００は、制御装置本体５００による制御にて操作信号を駆動制御手段２３０へ出力することなく制御装置本体５００へ出力する。
【００１８】
集音手段３１０は、車両１０に配設され、車両１０の外部環境である周囲の環境音を取得すなわち集音する。この集音手段３１０は、複数、例えば４つのマイクロフォン３１１（以下、ＭＩＣと称する。）を備えている。これらＭＩＣ３１１は、車両１０の室内空間に対して４隅に位置する状態にそれぞれ配設され、４方向からの環境音をそれぞれ集音可能に配設されている。そして、集音手段３１０は、制御装置本体５００に接続され、各ＭＩＣ３１１で集音した環境音に対応する環境情報である環境音信号を制御装置本体５００へ出力する。
【００１９】
撮像手段３２０は、車両１０に配設され、車両１０の外部環境である周囲の環境光を取得すなわち周囲の風景を撮像する。この撮像手段３２０は、例えば車両１０の天井に配設されて制御装置本体５００に接続され、車両１０に対して上方の風景を撮像して環境情報である撮像データを制御装置本体５００へ出力する。
【００２０】
気象状態検知手段３３０は、車両１０に配設され、車両１０の外部環境である外部の気象状態を検知する。この気象状態検知手段３３０は、例えば車両１０に配設された図示しない気温計および湿度計を備えている。気温計は、車両１０の外部の気温を検知する。湿度計は、車両１０の外部の湿度を検知する。そして、気象状態検知手段３３０は、制御装置本体５００に接続され、気温計にて検知した気温に対応する環境情報である気温信号および湿度計にて検知した湿度に対応する環境情報である湿度信号を環境情報である気象状態信号として制御装置本体５００へ出力する。なお、気温計としては、車両１０に搭載された気温計を利用する構成としてもよい。
【００２１】
走行状態検出手段３４０は、車両１０に配設され、車両１０の走行状態を検出する。この走行状態検出手段３４０は、例えば車両１０に配設された図示しない速度センサを備えている。速度センサは、車両１０の移動速度である走行速度に対応して変動する信号、例えば車軸や車輪の回転により出力されるパルス信号や電圧値などを読み取り、走行速度を検出する。そして、走行状態検出手段３４０は、制御装置本体５００に接続され、速度センサにて検出した走行速度を速度信号として制御装置本体５００へ出力する。なお、速度センサは、車両１０の速度計や車両に搭載され車両の走行を案内誘導するナビゲーション装置の速度センサなどを利用する構成としてもよい。
【００２２】
出力手段４００の発音手段４１０は、車両１０に配設され、制御装置本体５００に接続されている。この発音手段４１０は、例えば図２および図３に示すように、車両１０の室内空間の略４隅近傍に位置してそれぞれ配設されるスピーカ４１１を備えている。そして、発音手段４１０は、制御装置本体５００にて制御され、音情報をスピーカ４１１で発音させて再生する処理をする。なお、発音手段４１０のスピーカ４１１は、車両１０に配設されているスピーカ４１１を利用する構成としてもよい。また、発音手段４１０は、制御装置本体５００にて制御されることなく、例えば放送波を取得してスピーカ４１１から再生させたり、着脱可能に装着される記録媒体に記録された音情報をスピーカ４１１から再生させたりするなどの処理を独立して可能とした構成としてもよい。
【００２３】
表示装置４２０は、車両１０に配設され、制御装置本体５００に接続されている。この表示装置４２０は、例えば図２および図３に示すように、例えば車両１０の室内空間における天井面に表示面が室内に臨む状態に配設された光源としての表示パネル４２１を備えている。この表示パネル４２１は、例えば、いわゆるサンルーフと称される車両１０の天井に設けられる窓に対応する状態に配設されている。すなわちサンルーフの代わりに配設される。この表示パネル４２１としては、例えば液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。また、表示パネル４２１の周縁すなわち表示面より外周縁部分の枠形状として、サンルーフ様の窓枠に対応する形状とすることが好ましい。そして、表示装置４２０は、制御装置本体５００にて制御され、像情報すなわち撮像データを表示パネル４２１で画面表示により再生する処理をする。なお、表示装置４２０は、制御装置本体５００にて制御されることなく、例えば放送波を取得して表示パネル４２１で画面表示させたり、着脱可能に装着される記録媒体に記録された画像データや映像データなどの像情報を表示パネルで画面表示させたりするなどの処理を独立して可能とした構成としてもよい。
【００２４】
空調手段４３０は、車両１０に配設され、制御装置本体５００に接続されている。この空調手段４３０は、例えば車両１０に配設されたいわゆるエアコンを利用する構成としてもよい。この空調手段４３０としては、例えば加湿器、除湿器、ヒータ、冷却器、送風機などを備え、空気を加湿、除湿、加熱、冷却などをして室内空間へ送風する。すなわち、空調手段４３０は、制御装置本体５００にて制御され、所定の条件で車両１０の室内空間の空気あるいは外気を所定の風量で取り込んで適宜処理し、室内空間へ送風する処理をする。なお、空調手段４３０は、車両１０に搭載されたいわゆるエアコンを利用する構成では、制御装置本体５００にて制御されることなく、利用者の設定に従って空調処理を独立して可能とした構成としてもよい。
【００２５】
制御装置本体５００は、車両１０に配設され、車両１０の外部環境を室内空間に適宜再現させる制御をする。この制御装置本体５００は、変更手段５１０と、操作手段としての入力手段５２０と、モニタ５３０と、記憶手段５４０と、演算手段５５０と、を備えている。
【００２６】
変更手段５１０は、演算手段５５０に接続されるとともに窓開閉機構部２００が接続されている。この変更手段５１０は、入力操作可能に窓開閉機構部２００の操作スイッチにそれぞれ隣接して配設される複数の図示しない切替スイッチを備えている。そして、変更手段５１０は、切替スイッチの入力操作に応じて、操作スイッチの入力操作に基づく操作手段２２０からの操作信号の出力状態を変更、すなわち操作信号により駆動手段２１０を駆動させることなく操作信号を演算手段５５０へ出力させる処理をする。
【００２７】
入力手段５２０は、入力操作可能な図示しない操作ボタンや操作つまみを備えている。これら操作ボタンや操作つまみは、窓開閉機構部２００の操作スイッチに対応して設けられている。また、入力手段５２０は、いわゆるサンルーフと称させる車両１０の天井に設けられた窓の開閉の設定に対応する操作ボタンや操作つまみなども備えている。そして、入力手段５２０は、演算手段５５０に接続され、操作手段２２０と同様に、操作ボタンや操作つまみなどの入力操作に応じた所定の操作信号を演算手段５５０へ出力する。
【００２８】
モニタ５３０は、例えば車両１０の図示しないフロントグリルパネルに配設され、演算手段５５０に接続されている。このモニタ５３０は、例えば図４に示すように、窓の開閉状態を模式的に表示する仮想窓５３１Ａを画面表示する。この図４に示す表示画面５３１における仮想窓５３１Ａは、ドア１１の窓およびサンルーフに対応して例えば５つ表示される。そして、モニタ５３０は、演算手段５５０に制御され、仮想窓５３１Ａの開口量が変更可能に表示画面中の仮想窓５３１Ａを画面表示する。また、モニタ５３０は、開口量を例えば数値でテキスト表示可能となっている。これら仮想窓５３１Ａの開口量が操作手段２２０や入力手段５２０における入力操作状況に対応したレベル値としてモニタ５３０で表示される。
【００２９】
記憶手段５４０は、演算手段５５０に接続され、演算手段５５０にて読み出し可能に各種情報を記憶する。この記憶手段５４０としては、ＨＤ（Hard Disk）などの磁気ディスクやＤＶＤ（Digital Versatile Disc）などの光ディスクなどのディスク状記録媒体、あるいはメモリカードなどの記録媒体に読み出し可能に記憶するドライブやドライバの他、ＲＡＭ（Random Access Memory）などのメモリなどの構成が例示できる。また、記憶手段５４０は、外部環境に対応する環境音である環境情報としての環境音データを記憶する環境音データ記憶手段としての環境音データ記憶領域５４１と、外部環境に対応する環境光である環境情報としての映像データを記憶する映像データ記憶手段としての映像データ記憶領域５４２と、を有している。なお、これら環境音データ記憶領域５４１および映像データ記憶領域５４２は、例えば着脱可能な記録媒体の記憶領域としてもよい。そして、音響音データとしては、例えば森林での動物の鳴き声や河川や滝などの流水音などが例示できる。また、映像データとしては、晴れた空や曇りの空、夕焼けの空、夜の空、森林や町中で上方を見上げたときなどが例示できる。また、記憶手段５４０は、制御装置本体５００全体を動作制御するＯＳ（Operating System）上に展開される各種プログラムなどを記憶している。
【００３０】
演算手段５５０は、各種プログラムとして、環境情報取得手段５５１と、出力制御手段５５２と、図示しない計時手段と、などを備えている。
【００３１】
環境情報取得手段５５１は、集音手段３１０、撮像手段３２０、気象状態検知手段３３０および走行状態検出手段３４０が接続されている。そして、環境情報取得手段５５１は、集音手段３１０から出力される環境音信号、撮像手段３２０から出力される撮像データ、気象状態検知手段３３０から出力される気象状態信号、および、走行状態検出手段３４０から出力される速度信号を、外部環境に関する環境情報として取得する。また、環境情報取得手段５５１には、記憶手段５４０が接続されている。そして、環境情報取得手段５５１は、環境音データ記憶領域５４１および映像データ記憶領域５４２から、音響音データおよび映像データを外部環境に関する環境情報として取得する。そして、環境情報取得手段５５１は、出力制御手段５５２が接続され、取得した環境情報を出力制御手段５５２へ出力する。
【００３２】
出力制御手段５５２は、ドア１１の窓が操作手段２２０による入力操作に対応して開閉されるドア１１の窓における開口量に応じて外部の環境音や光、外気が室内空間に入り込むことによる室内空間の環境となる状態に、操作信号に基づいて、環境情報取得手段５５１で取得した環境情報を発音手段４１０や表示装置４２０、空調手段４３０の動作を制御して出力させる。すなわち、出力制御手段５５２は、変更手段５１０による処理により窓開閉機構部２００の操作手段２２０から入力操作に対応して出力される操作信号や、入力手段５２０から入力操作に対応して出力される操作信号を取得し、操作信号に基づいて入力操作状況を認識する。例えば、入力操作された時間長や入力操作により出力された電流値あるいはその変化量などに基づいて対象となる仮想窓５３１Ａの開口量の設定に関する入力操作状況を認識する。
【００３３】
また、出力制御手段５５２は、環境情報取得手段５５１で走行状態検出手段３４０からの走行信号に基づいて取得した環境情報を取得して走行状況を認識し、この走行状況に基づいて例えば車両１０の走行により生じる風切り音様の音情報を生成する。なお、風切り音様の音情報の生成としては、例えばＭＩＤＩ（Musical Instrument Digital Interface）の規格に準拠した音情報、すなわち米ＭＭＡ（MIDI Manufacturers Association）と日本ＭＩＤＩ評議会（Japan MIDI Standards Committee：ＪＭＳＣ）とにより規格化されたＧＭ（General MIDI）規格、あるいはＧＳ（General Standard）規格、またはＸＧ（Extended General MIDI）規格、さらにはＧＭレベル２規格などに基づくＭＩＤＩメッセージとして生成したり、記憶手段５４０の環境音データ記憶領域５４１に記憶された風切り音様の音情報を読み取って走行状況に応じて処理して生成する構成としたりするなどが例示できる。
【００３４】
そして、出力制御手段５５２は、認識した操作信号の入力操作状況に対応して、モニタ５３０の表示状態を制御する。すなわち、操作信号により対応する位置の仮想窓５３１Ａを認識し、この仮想窓５３１Ａの開口状態を入力操作状況に対応させた開口量となる状態に表示状態を制御する。このように、出力制御手段５５２は、操作信号に基づいて、入力操作によりドア１１の窓が開閉される状態と同様に仮想窓５３１Ａを開閉させる。
【００３５】
また、出力制御手段５５２は、操作信号に基づいて、発音手段４１０を制御し、入力操作状況に応じて環境情報取得手段５５１から取得した環境音をスピーカ４１１から再生させる。この入力操作状況に応じた環境音の再生制御としては、例えば入力操作状況に対応すなわち仮想窓５３１Ａの開口量の大きさに応じて、音量を増減させたり、環境音における除去する周波数帯の帯域幅を増減させたりする。さらに、音量制御としては、仮想窓５３１Ａの開口量が増大するに従って音量が増大する割合が次第に小さくなる状態とする。また、除去する周波数帯の制御としては、仮想窓５３１Ａの開口量が増大するに従ってカットオフする高音域の周波数が次第に高くなる状態とする。すなわち、実際の窓の開口状態により、外部から室内空間に環境音が進入する際に音特性が変更する状態に対応した音特性で環境音が再生される状態に制御する。さらに、車両１０の走行状況に応じて生成した風切り音様の音情報を、仮想窓５３１Ａの開口量が増大するに従って環境音に重畳させる割合を高くする状態に制御する。また、ドア１１の窓を開口する旨の入力操作に対応した操作信号により、対応する窓の近傍に音像定位が位置する状態に制御する。これら音特性の処理に際しては、例えば環境音をスピーカ４１１で再生するために環境音を処理する発音手段４１０における処理や、スピーカ４１１の制御、あらかじめ出力制御手段５５２で環境音を処理してから発音手段４１０へ出力させてスピーカ４１１で再生させるなど、いずれの方法が適用できる。また、環境音の処理としては、環境音を、例えばＭＩＤＩの規格に準拠した音情報であるＭＩＤＩメッセージとして処理したり、環境音に対応したＭＩＤＩメッセージを生成するなどしてもよい。
【００３６】
さらに、出力制御手段５５２は、操作信号に基づいて、表示装置４２０を制御し、入力操作状況に応じて環境情報取得手段５５１から取得した映像データを表示パネル４２１で再生させる。具体的には、入力手段５２０からのサンルーフの窓を開口する旨の入力操作に対応した操作信号により表示装置４２０を制御し、入力操作状況に対応すなわち図４に示す表示画面５３１中のサンルーフに対応する仮想窓５３１Ａの開口する領域に対応する表示パネル４２１の表示領域のみ映像データを表示させる。例えば５０％の開口量であれば、表示面の半分の領域のみ表示させる。このことにより、あたかもサンルーフが開けられたような環境が再現される。なお、例えば車両１０の窓ガラス１２が遮光特性を有する場合、ドア１１の窓を開口する旨の入力操作に対応した操作信号を認識した際、例えば図５に示すように、表示パネルの表示領域を例えば４分割した領域における開閉操作に対応する領域の輝度が仮想窓５３１Ａの開口量に対応した輝度となる状態で表示させる。なお、晴天時の昼間では青みがかった白色で表示させたり、夕方の場合には赤みがかった白色で表示させたり、晴天の夜の場合には星が散りばめられたように表示させたり、走行状況に対応して街灯が相対的に流れるように白色に点灯する領域を表示領域の前側から後側へ移動する状態に表示させたりするなど、映像データを表示させるのみならず、気象状況や時刻などに基づいて表示状態を設定させるなどしてもよい。
【００３７】
また、出力制御手段５５２は、操作信号に基づいて入力操作状況に応じて空調手段４３０を制御する。具体的には、気温信号に基づいて略同等の設定温度とし、湿度信号に基づいて略同等の設定湿度として空調手段４３０の駆動条件を設定し、入力操作状況に対応すなわち仮想窓５３１Ａの開口量が増大するに従って処理する風量を設定し、これらの設定した条件で空調手段４３０を駆動させる制御をする。なお、この空調手段４３０の動作は、室内空間の空気を取り込んで設定した条件で空気を処理する構成の他、外気を外部環境として入力操作状況に応じた風量で取り込んで室内空間へ送風する構成とするなどしてもよい。また、処理した空気の送風は、ドア１１の窓を開口する旨の入力操作に対応した操作信号に基づき対応する窓近傍へ送風させることが好ましい。このことにより、あたかも入力操作に応じて実施の窓が開口されることにより外気が室内空間に進入して室内空間の空気の変わるような環境が再現される。なお、出力制御手段５５２は、速度信号に基づいて認識する速度が増大するに従って処理風量を増大させてもよい。
【００３８】
計時手段は、例えば内部クロックなどの基準パルスに基づいて現在時刻を認識する。そして、この計時手段は、認識した現在時刻に関する時刻情報を適宜出力する。
【００３９】
〔環境調整システムの動作〕
次に、環境調整システム１００の動作を図面に基づいて説明する。図６は、環境調整システムの動作を示すフローチャートである。
【００４０】
車両１０に搭乗した利用者がキー操作により車両１０のアクセサリ電源を投入することにより、車両１０のバッテリから環境調整システム１００に電力が供給される。この電力の供給により、外部環境認識手段３００が車両１０の外部環境を認識し、環境調整システム１００の環境情報取得手段５５１へ外部環境に関する環境情報として出力する。具体的には、集音手段３１０がＭＩＣ３１１にて環境音を集音して環境情報取得手段５５１へ環境音信号を出力し、撮像手段３２０が車両１０周囲の風景を撮像して撮像データを環境情報取得手段５５１へ撮像データを出力し、気象状態検知手段３３０が気温計や湿度計にて周囲の気温や湿度などを計測して環境情報取得手段５５１へ気象状態信号を出力し、走行状態検出手段３４０が車両の走行速度を検出して環境情報取得手段５５１へ速度信号を出力する。
【００４１】
また、環境調整システム１００の演算手段５５０は、電力の供給により、外部環境の再現処理を実行する。この外部環境を再現する処理を実行する際、あらかじめ初期化処理を実施しておく。すなわち、仮想窓５３１Ａが全て閉じられている状態とする。そして、外部環境の再現処理に際しては、図６に示すように、ドア１１の窓が開いているか否かを判断する（ステップＳ１０１）。そして、演算手段５５０は、ドア１１の窓が開かれていると判断すると、環境調整システム１００による車内空間に外部環境を再現する処理を終了する。なお、この外部環境を再現する処理を終了しても、外部環境認識手段３００は、外部環境に関する環境情報を環境情報取得手段５５１へ出力する処理を継続する。
【００４２】
一方、ステップＳ１０１において、演算手段５５０がドア１１の窓が閉じられていると判断すると、窓開閉機構部２００あるいは入力手段５２０から出力される操作信号を取得したか否かを判断する（ステップＳ１０２）。このステップＳ１０２において、操作信号を取得していないと判断すると、操作信号の入力待機状態となり、ステップＳ１０１に戻る。一方、ステップＳ１０２において、操作信号を取得したと判断すると、演算手段５５０の出力制御手段５５２は、利用者が仮想窓５３１Ａの窓を開閉する入力操作を実施したと判断し、操作信号に基づいて入力操作状況を認識、すなわち対象となる仮想窓５３１Ａとその開口量の設定値とを認識する（ステップＳ１０３）。そして、出力制御手段５５２は、入力操作状況に基づいて、モニタ５３０における表示画面５３１中の対応する仮想窓５３１Ａが所定量で開口する表示状態に制御する（ステップＳ１０４）。
【００４３】
さらに、出力制御手段５５２は、外部環境認識手段３００から環境情報取得手段５５１で取得した環境情報を、ステップＳ１０４における仮想窓５３１Ａの開口状況に対応して、出力手段４００の動作制御をする（ステップＳ１０５）。すなわち、ステップＳ１０４の処理で、仮想窓５３１Ａの開口の開始から所定の開口量まで連続的に開口する状態に対応して、発音手段４１０における環境音の再生状態、表示装置４２０における映像データの表示状態、および、空調手段４３０における空調状態を制御する。この入力操作状況に対応、すなわち仮想窓５３１Ａの開口量に対応して、環境音や映像データの再生状態や空調状態が制御される。
【００４４】
具体的には、環境情報の出力状態の制御の際、入力手段５２０におけるサンルーフに対応する仮想窓５３１Ａの開口要求に対応した操作信号か否かを判断する。また、走行状態を認識する。さらに、空調手段４３０の駆動条件として、気象状態信号の気温信号に基づいて略同等の設定温度、および気象状態信号の湿度信号に基づいて略同等の設定湿度を設定する。
【００４５】
そして、サンルーフではなくドアの窓に対応した仮想窓５３１Ａの開口要求である場合であって、走行していない場合には、仮想窓５３１Ａの開口量が増大するに従って、スピーカ４１１から再生される環境音の音量が増大するとともに、再生する環境音の特性が外部の環境音の周波数帯に近づく状態で、かつ仮想窓５３１Ａに対応するドア１１の窓近傍に音像定位が位置する状態に環境音を再生させる。さらに、設定した設定温度および設定湿度で所定の処理風量で対象の仮想窓５３１Ａに対応する窓近傍から空調処理した空気を送風させる状態に空調手段４３０の駆動を制御する。
【００４６】
また、走行している場合には、走行速度に対応して風切り音様の音情報を生成し、仮想窓５３１Ａの開口量が増大するに従って環境音に風切り音様の音情報を重畳させる割合が高くなる状態で、音量や音色、音像定位などの音特性を走行していない場合と同様の状態に環境音を再生させる。さらに、空調手段４３０では、走行速度に対応して送風量が増大する状態に駆動制御する。
【００４７】
一方、サンルーフに対応した仮想窓５３１Ａの開口要求である場合には、発音手段４１０および空調手段４３０の上述した駆動制御するとともに、表示装置４２０の表示制御をする。すなわち、仮想窓５３１Ａの開口量が増大するに従って、仮想窓５３１Ａの開口する領域に対応する表示パネル４２１の表示領域で映像データを表示させる処理をする。
【００４８】
このようにして、仮想窓５３１Ａの開口状態に対応して環境音や撮像データの表示や空調制御をする。このことにより、ドア１１の窓やサンルーフが実際に開けられた場合と同様に外部環境が再現され、あたかも実際に開けられたかのような環境を提供する。
【００４９】
また、外部環境の再現処理の際、あるいは処理の実行中に、利用者が入力手段５２０を適宜入力操作することにより、出力制御手段５５２は、環境情報取得手段５５１により記憶手段５４０の環境音データ記憶領域５４１および映像データ記憶領域５４２にあらかじめ記憶した環境音や映像データを読み取る。この環境音や映像データの読み取りとしては、例えばモニタ５３０や別途設けられた表示手段にて外部環境の種別を入力手段５２０による選択を促す内容で表示させる。この選択可能に表示する外部環境としては、例えば街中、森林、田園、海辺などの種別で、各種別毎にさらに階層状のテーブル構造で異なる場所や昼間や夕方などの時間、あるいは晴天、雨天、積雪などの各気象状態などで複数の環境音データや映像データを選択可能な構成が例示できる。そして、表示に従って選択した環境音や映像データを、実際に集音した環境音や撮像した撮像データに代えて発音手段４１０や表示装置４２０で再生させる。このことにより、街中で仮想窓５３１Ａを開口させる入力操作により、森林や海辺などの設定に対応した各種ロケーションでの外部環境が再現される。
【００５０】
〔環境調整システムの作用効果〕
上述したように、上記実施の形態では、環境情報取得手段５５１で外部環境に関する環境音や環境光あるいは撮像データ、外気などの環境情報を取得し、仮想窓５３１Ａを開閉させる入力操作に対応した操作信号に基づいて、実際の窓の開口量が増減する状態となるように、出力手段４００から再生あるいは送風させる状態を出力制御手段５５２で制御している。このため、例えば外部の気象状態が劣悪で窓が開けられない状態でも仮想窓５３１Ａを開口させる入力操作により外部環境が得られ、容易に外部状況を認識できる。
【００５１】
また、窓の窓ガラスを移動させる駆動手段２１０の駆動を制御する駆動制御手段へ入力操作に対応した操作信号を出力する窓開閉機構部２００の操作手段２２０における操作信号の出力状態を、入力操作に応じて変更する変更手段を設けている。このため、変更手段の切替スイッチを切り替えることで、実際の窓の開閉と仮想窓５３１Ａの開閉とが切り替えられ、１つの操作手段で実際の外部環境と仮想の外部環境とが切り替えられ、より良好に外部環境の再現状態を提供できる。
【００５２】
そして、操作信号の入力操作状況に対応するレベル値である仮想窓５３１Ａの開口量の増大に従って環境情報の出力状態を増大させる割合が小さくなる状態に制御、例えば仮想窓５３１Ａの開口量の増大に従って環境音の音量が増大する割合を小さく制御している。このため、より実際の窓の開口状況に対応して室内に進入する外部環境の状態と同様の状態が得られ、より良好な外部環境の再現状態を提供できる。
【００５３】
また、入力操作状況に対応するレベル値の最大すなわち仮想窓５３１Ａの開口量が最大となる状態で、出力手段から出力する環境情報の出力状態が外部環境と略同等、例えば集音手段３１０で集音する環境音の音圧レベルと略同等の音圧レベルで再生させる制御をしている。このため、より実施の窓の開口状態に対応して室内に進入する外部環境の状態と同様の状態が得られ、より良好な外部環境の再現状態を提供できる。
【００５４】
さらに、外部環境として、外部の音、光および気象状態を認識して出力させる制御としている。このため、集音や撮像、送風機による外気の取り込みなどの簡単な構成で外部環境の出力およびその制御ができるとともに、適切な外部環境の再現状態を容易に提供できる。
【００５５】
また、車両１０の走行状況を外部環境として認識し、走行状況に対応して生じる風切り音用の音情報を生成し、入力操作状況に応じて風切り音様の音情報を再生させている。このため、特に車両１０における外部環境の再現状態がより良好に提供できる。さらには、走行状況に対応して空調手段４３０における風量も制御しているため、より良好な外部環境の再現状態を提供できる。
【００５６】
そして、入力操作状況に対応するレベル値の増大すなわち仮想窓５３１Ａの開口量の増大に従って、再生する環境音での除去する周波数帯の帯域を小さくする割合を大きく制御している。このため、実際の窓の開口状況に対応して室内に進入する環境音の状態とより近似する状態が得られ、より良好な外部環境の再現状態を提供できる。さらには、仮想窓５３１Ａの開口量の増大に従って、再生する環境音での除去する高音域の周波数を高く制御している。このため、同様に、実際の窓の開口状況により近似する状態が得られ、より良好な外部環境の再現状態を提供できる。
【００５７】
さらに、環境音の音特性の処理として、ＭＩＤＩ規格に準拠した音情報であるＭＩＤＩメッセージを利用し、このＭＩＤＩメッセージのパラメータ値を適宜設定して仮想窓５３１Ａの開口状況に応じた音特性で再生させている。このため、実際の窓の開口状態に近似した外部環境の再現が簡単な構成で容易に処理できるとともに、処理負荷の低減や処理速度の高速化が容易に図れる。
【００５８】
また、撮像手段３２０で撮像した外部状況としての映像データを表示パネル４２１で表示させる際に、入力操作状況に応じて表示する領域を増減させている。このため、実際の窓が開閉する状態に映像データが表示され、良好な外部環境の再現状態を提供できる。
【００５９】
さらに、気象状態検知手段３３０の気温計および湿度計にて気象状態として温度および湿度を検知し、これら検知した温度および湿度に基づいて設定温度および設定湿度を設定して空調手段４３０の駆動状態を制御している。このため、簡単な構成で窓を開けた状態と同様の状態が容易に得られるとともに、車両１０にあらかじめ搭載される空調手段４３０を利用することも可能で、より容易に外部環境の良好な再現状態を提供できる。
【００６０】
そして、例えば入力手段５２０の入力操作により、実際に集音あるいは撮像した外部環境の他、別途記憶しておいた環境音や映像データを再生可能としている。このため、単に外部状況の認識の他に、鑑賞として利用することもでき、さらなる利用状況の拡大が得られる。
【００６１】
また、演算手段５５０を例えばＣＰＵ（Central Processing Unit）などを用いてプログラムとして構成しているので、プログラムをインストールすることで、仮想窓５３１Ａの開口状態に対応して外部環境を再現する構成が容易に得られ、利用の拡大が容易に図れる。さらには、そのプログラムを記録媒体に記録し、適宜演算手段、すなわちコンピュータに読み取らせる構成とすることで、容易に音の特性の制御ができる構成が得られるとともに、プログラムを容易に取り扱いでき、利用の拡大が容易にできる。なお、本発明における演算手段としては、１つのコンピュータに限らず、複数のコンピュータをネットワーク状に組み合わせた構成、ＣＰＵやマイクロコンピュータなどの素子、あるいは複数の電子部品が搭載された回路基板などをも含む。
【００６２】
〔実施形態の変形〕
なお、本発明は、上述した各実施の形態に限定されるものではなく、本発明の目的を達成できる範囲で以下に示される変形をも含むものである。
【００６３】
すなわち、移動状況としては、車両１０の移動に限らず、例えば飛行機や船舶など移動するいずれの移動体にも適用できる。さらには、上述したように、車両１０に配設する構成に限らず、家屋などの建造物などに設置して部屋の空間に外部環境を再現させる構成とするなどしてもよい。
【００６４】
さらに、上述した各機能をプログラムとして構築したが、上述したように、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、取扱が容易で、利用の拡大が容易に図れる。
【００６５】
そして、環境音、環境光、空調をそれぞれ制御して出力させる構成としたが、少なくともいずれか１つのみ制御する構成としてもよい。さらには、走行状態に対応して風切り音様の音情報を重畳させたり、風量を調整したり、表示パネル４２１の表示形態も変化するなどして説明したが、走行状態を検出せず、単に取得した外部環境を出力させるのみでもよい。
【００６６】
また、集音した環境音や映像データを表示して外部環境に対応した環境を仮想窓５３１Ａの開口量に応じて室内空間に再現させる構成としたが、例えば入力手段による所定の入力操作により、車両１０は町中であっても記憶手段の森林に対応する映像データや環境音データを再生させて擬似空間を仮想窓５３１Ａの開口量に応じて再現させる構成を可能としてもよい。さらには、これらの映像データや環境音データに対応して空調手段４３０の動作を制御可能としてもよい。このことにより、さらなる利用状況の拡大が得られる。
【００６７】
そして、音特性の制御としては、ＭＩＤＩ規格に準拠した音情報であるＭＩＤＩメッセージのパラメータ値を適宜設定する構成に限らず、例えば電流値制御による音特性の制御や指向性スピーカを利用して音像定位の制御、スピーカのホーンの制御など、いずれの方法により制御してもよい。
【００６８】
また、表示装置４２０における外部環境の再生として、撮像手段３２０で撮像した映像データを表示させる構成としたが、例えば光センサなどにより明暗や色彩を検出して外部環境を認識し、この外部環境に対応して明暗や色彩表示させるなどしてもよい。さらには、表示パネル４２１をサンルーフに対応して配設したが、例えば窓ガラス１２の室内側の面にシート状の表示パネル４２１を設け、この表示パネル４２１に仮想窓ガラスおよびこの仮想窓ガラスの移動により開口する領域に映像データや画像データを表示させるようにするなど、いずれの位置に配設する構成としてもよい。そして、この窓ガラスに設ける構成では、よりリアリティの高い外部環境の再現が得られる。
【００６９】
さらに、空調手段として別途送風機を設け、仮想窓の開口量および走行状況に応じて搭乗者に向けて送風させる構成としてもよい。このことにより、あたかもドアの窓が開口したかのような状況がより現実的に感じさせる環境を再現できる。また、空調手段として温度や湿度を制御することなく、外気を外部環境として直接取り込んで送風してもよい。この外気を直接取り込む構成では、冷却や加熱などの特別の構成が必要なく構成の簡略化が容易に得られる。なお、このような構成において、例えば送風中に車両の内燃機関であるエンジンの熱にて加熱されたり、湿度が変更しないなどの外気の特性が変質しない送風ダクトや送風器を備えた構成とすることが望ましい。
【００７０】
そして、空調手段にて空調処理した空気を送風する際、空気に香りを付与してもよい。例えば、車両１０の現在位置と地図情報とに基づいて現在位置している環境が町中か森林か田園か海沿いかなどを判断し、あらかじめ車両に搭載しておいた香料や植物から抽出した抽出油などを送風経路上に噴出するなどして、外部の環境に対応する香りを空気に付与させるなどしてもよい。なお、この香りの選定としては、例えば町中であればほこりっぽい香りや排気ガス様の香り、森林であれば新緑の香り、田園であれば稲生の香り、海沿いであれば潮の香りが選定されるように、香料と地図情報における領域を表す地点情報とを関連付けたデータを複数記録するテーブル構造のデータベースを記憶手段などに設けておけばよい。
【００７１】
また、入力手段５２０の所定の入力操作により、あらかじめ記憶しておいた環境音や映像データを再生可能な構成としたが、これらのデータを設けず実際に集音した環境音や撮像データを再生させる構成としてもよい。さらには、入力操作により記憶しておいた環境音や映像データを再生する構成に加え、例えば空調手段４３０を合わせて動作制御してよい。具体的には、各場所や時間、季節などの各種条件を入力手段５２０における選択の入力操作に対応して設定温度や設定湿度が設定される構成とすればよい。このことにより、より擬似的な外部環境の良好な再現状態が得られる。
【００７２】
その他、本発明の実施の際の具体的な構造および手順は、本発明の目的を達成できる範囲で他の構造などに適宜変更できる。
【００７３】
〔実施の形態の効果〕
上述したように、外部環境に関する環境音や環境光あるいは撮像データ、外気などの環境情報を取得し、入力操作に対応した操作信号に基づいて、実際の窓の開口量が増減する状態となるように、出力手段４００から再生あるいは送風させる状態を出力制御手段５５２で制御している。このため、例えば外部の気象状態が劣悪で窓が開けられない状態でも仮想窓５３１Ａを開口させる入力操作により外部環境が得られ、容易に外部状況を認識できる。
【００７４】
また、上記実施の形態では、窓を開閉させる駆動手段２１０を制御する駆動制御手段２３０へ入力操作に対応して操作信号を出力して窓の開口量設定する操作手段２２０の操作信号の出力状態を入力操作に応じて変更させて取得し、この操作信号における入力操作状況に応じて、実際の窓の開口量が増減する状態となるように、出力手段４００から再生あるいは送風させる状態を出力制御手段５５２で制御している。このため、例えば外部の気象状態が劣悪で窓が開けられない状態でも仮想窓５３１Ａを開口させる入力操作により外部環境が得られ、容易に外部状況を認識できる。
【図面の簡単な説明】
【００７５】
【図１】本発明の環境調整装置に係る環境調整システムの概略構成を示すブロック図である。
【図２】前記実施の形態における環境調整システムの車両配設状況を車両の平面視で示す概念図である。
【図３】前記実施の形態における環境調整システムの車両配設状況を車両の側面視で示す概念図である。
【図４】前記実施の形態におけるモニタで画面表示される表示画面を示す概念図である。
【図５】前記実施の形態における表示パネルにおける他の表示形態を示す概念図である。
【図６】前記実施の形態における環境調整システムの動作を示すフローチャートである。
【符号の説明】
【００７６】
１０…移動体としての車両
１００…環境調整装置としての環境調整システム
２１０…駆動手段
２２０…操作手段
２３０…駆動制御手段
３１０…集音手段
３２０…撮像手段
３３０…気象状態検知手段
３１１…マイクロフォン（ＭＩＣ）
４００…出力手段
４１０…出力手段としての発音手段
４１１…スピーカ
４２０…出力手段としての表示装置
４３０…出力手段としての空調手段
５００…環境調整装置としても機能し得る演算手段としての制御装置本体
５１０…変更手段
５２０…操作手段としての入力手段
５４０…記憶手段
５４１…環境音データ記憶手段としての環境音データ記憶領域
５４２…映像データ記憶手段としての映像データ記憶領域
５５０…演算手段
５５１…環境情報取得手段
５５２…出力制御手段
【図１】
2005319837.tif 000003
【図２】
2005319837.tif 000004
【図３】
2005319837.tif 000005
【図４】
2005319837.tif 000006
【図５】
2005319837.tif 000007
【図６】
2005319837.tif 000008